(57)【特許請求の範囲】
【請求項１】
（ａ）ほぼ縦方向に伸びる軸、（ｂ）縦方向の第１および第２の端、（ｃ）上記軸とほぼ同軸にそろえられて、上記縦方向の第１の端から上記縦方向の第２の端に向かってほぼ一定の半径で伸び、かつ上記縦方向の第２の端から隔たっている第１の内腔、および（ｄ）上記軸とほぼ同軸にそろえられて、上記縦方向の第２の端から上記第１の内腔に向かってほぼ一定の半径で伸び、かつ半径が上記第１の内腔の半径より小さい第２の内腔を有するほぼ環状の円筒形の真空エンクロージャ、
上記軸とほぼ同軸にそろえられて、上記真空エンクロージャの中に上記真空エンクロージャから隔てて配置された、縦方向に間隔を置いて配置された複数の超伝導コイルであって、各々がほぼ同じ方向に電流を通す第１のコイルおよび第２のコイルを含み、上記第１のコイルがほぼ円周方向に上記第１の内腔を取り囲み、上記第２のコイルがほぼ円周方向に上記第２の内腔を取り囲み、上記第２のコイルが半径方向に最も内側の部分を持ち、上記軸から上記第２のコイルの上記の半径方向に最も内側の部分までの半径方向距離が上記第１の内腔の半径より小さい複数の超伝導コイル、ならびに
ほぼ上記第２の内腔の中に配置されている勾配コイル
を含むことを特徴とする磁気共鳴イメージング磁石。
【請求項２】
更に、上記勾配コイルより半径方向内側で、ほぼ上記第２の内腔の中に配置された無線周波コイルを含む請求項１記載の磁気共鳴イメージング磁石。
【請求項３】
上記第１のコイルが上記縦方向の第１の端に隣接して配置され、上記第２のコイルが上記縦方向の第２の端に隣接して配置されている請求項１記載の磁気共鳴イメージング磁石。
【請求項４】
上記第１のコイルの縦方向の長さが上記第１のコイルの半径方向の長さより大きく、上記第２のコイルの縦方向の長さが上記第２のコイルの半径方向の長さより大きい請求項３記載の磁気共鳴イメージング磁石。
【請求項５】
上記第２のコイルが半径方向に最も外側の部分を持ち、上記軸から上記第２のコイルの上記の半径方向に最も外側の部分までの半径方向距離が、上記第１の内腔の半径よりも小さい請求項４記載の磁気共鳴イメージング磁石。
【請求項６】
上記縦方向の第１の端が患者の肩をおおうように配置されて、患者の頭が少なくとも部分的に上記第１の内腔を通過して上記第２の内腔の中に入り、かつ上記第２の内腔の直径が患者の肩の幅より小さくなるように、上記第１の内腔および上記第２の内腔の大きさが定められている請求項１記載の磁気共鳴イメージング磁石。
【請求項７】
上記縦方向の第１の端が患者の肩をおおうように配置されて、患者の頭が少なくとも部分的に上記第１の内腔を通過して上記第２の内腔の中に配置されたときに、上記超伝導コイルによって発生される磁気共鳴イメージング容積が患者の脳の領域に位置している請求項６記載の磁気共鳴イメージング磁石。
【請求項８】
上記イメージング容積の形状が球形で、その中心が上記第２の内腔の中でほぼ上記軸上にある請求項８記載の磁気共鳴イメージング磁石。
【請求項９】
上記中心が上記縦方向の第１の端と上記縦方向の第２の端からほぼ縦方向に等距離の所に配置されている請求項８記載の磁気共鳴イメージング磁石。
【請求項１０】
更に、上記真空エンクロージャの中に上記真空エンクロージャから隔てて配置された熱遮蔽体、ならびに第１段および第１段に比べて低温の第２段を持つ低温冷却器のコールドヘッドを含み、上記超伝導コイルが上記熱遮蔽体の中に上記熱遮蔽体から隔てて配置され、上記第２段が上記超伝導コイルと熱接触し、上記第１段が上記熱遮蔽体と熱接触している請求項１記載の磁気共鳴イメージング磁石。
【請求項１１】
上記第１の内腔の直径がほぼ５３ｃｍであり、上記第２の内腔の直径がほぼ３５ｃｍである請求項１記載の磁気共鳴イメージング磁石。
【発明の詳細な説明】
【０００１】
【産業上の利用分野】
本発明は一般に、磁気共鳴イメージング（ＭＲＩ）診断システムの一部として高磁界を発生するために使用される超伝導磁石に関し、更に詳しくは人体の特定の部位たとえば脳を安価にイメージングするためのコンパクトな設計のこのような磁石に関するものである。
【０００２】
【従来の技術】
超伝導磁石を用いるＭＲＩシステムは、医用診断のような種々の分野で使用される。公知の超伝導磁石には、液体ヘリウムで冷却される超伝導磁石および低温冷却器で冷却される超伝導磁石が含まれる。通常、低温冷却器で冷却される磁石の場合、超伝導コイル集合体は超伝導主コイルを含み、超伝導主コイルは熱遮蔽体によって取り囲まれ、熱遮蔽体は真空エンクロージャによって取り囲まれている。低温冷却器のコールドヘッドは外部で真空エンクロージャに取り付けられ、コールドヘッドの第１段は熱遮蔽体と熱的に接触し、第２段は超伝導主コイルと熱的に接触している。
【０００３】
超伝導磁石の場合、販売パンフレットに、シム調整前の不均一度が１０ｐｐｍである２テスラの球形のイメージング容積の直径が１０ｃｍで、内腔（ｂｏｒｅ）の直径が２０ｃｍであるＭＲＩ脳イメージング用の（眼開口付きの）ヘルメット形の設計にしたと主張されているものがある。しかし、このような設計のものはこれまで開示されていない。
【０００４】
公知の超伝導磁石には、磁石の内腔の中の球形のイメージング容積内に高磁界を発生するために第１の方向に等しい電流を通す１つ以上の縦方向に間隔を置いて配置された主コイルを持つ大きな管状の超伝導コイル集合体を有するものがある。このような全身用磁石で脳のＭＲＩイメージングを行うのは費用のかかるやり方である。
【０００５】
したがって、人間の脳のＭＲＩイメージングのために設計された比較的安価な超伝導磁石が必要とされている。
【０００６】
【発明の概要】
本発明の目的は、人間の脳のイメージングのためのコンパクトな設計の超伝導ＭＲＩ磁石を提供することである。
本発明の磁気共鳴イメージング（ＭＲＩ）磁石は、ほぼ環状の円筒形の真空エンクロージャ、少なくとも２つの超伝導コイル、および勾配コイルを含む。真空エンクロージャは、ほぼ縦方向に伸びる軸、縦方向の第１および第２の端、第１の内腔、および第２の内腔を有する。第１の内腔は、軸とほぼ同軸にそろえられて、縦方向の第１の端から縦方向の第２の端に向かってほぼ一定の半径で伸び、かつ縦方向の第２の端から隔たっている。第２の内腔は、軸とほぼ同軸にそろえられて、縦方向の第２の端から第１の内腔に向かってほぼ一定の半径で伸びる。第２の内腔の半径は第１の内腔の半径より小さい。超伝導コイルは縦方向に間隔を置いて配置されて、軸とほぼ同軸にそろえられ、かつ真空エンクロージャの中に真空エンクロージャから隔てて配置される。超伝導コイルは第１のコイルおよび第２のコイルを含み、第１のコイルと第２のコイルの各々はほぼ同じ方向に電流を通す。第１のコイルはほぼ円周方向に第１の内腔を取り囲み、第２のコイルはほぼ円周方向に第２の内腔を取り囲む。第２のコイルは半径方向に最も内側の部分を持つ。軸から第２のコイルの半径方向に最も内側の部分までの半径方向距離は、第１の内腔の半径より小さい。勾配コイルが、ほぼ第２の内腔の中に配置されている。
【０００７】
好適実施態様では、超伝導コイルは、形状がほぼ球形の磁気共鳴イメージング容積を発生する。
本発明からいくつかの利益および利点が得られる。本発明に従って超伝導コイルを半径方向内側に位置決めし且つイメージング容積を球形の形状にしたことにより、真空エンクロージャの縦方向の第１の端が患者の肩をおおうように患者の頭を少なくとも部分的に第１の内腔を通して第２の内腔の中にいれたときに人間の脳の医用イメージングを行うことの出来る、高磁界強度のコンパクトな設計のＭＲＩ磁石が得られる。
【０００８】
【発明の詳しい説明】
付図は本発明の２つの好適実施例を示す。図１は本発明の磁気共鳴イメージング（ＭＲＩ）磁石１０の第１の実施例を示す。磁石１０はほぼ環状で円筒形の真空エンクロージャ１２を含み、真空エンクロージャ１２は、ほぼ縦方向に伸びる軸１４、縦方向の第１の端１６、縦方向の第２の端１８、第１の内腔２０、および第２の内腔２２を有する。第１の内腔２０は、軸１４とほぼ同軸にそろえられて、縦方向の第１の端１６から縦方向の第２の端１８に向かってほぼ一定の半径で伸び、かつ縦方向の第２の端１８から隔たっている。第２の内腔２２は、軸１４とほぼ同軸にそろえられて、縦方向の第２の端１８から第１の内腔２０に向かってほぼ一定の半径で伸びる。第２の内腔２２の半径は第１の内腔２０の半径より小さい。典型的には、縦方向の第１の端１６から伸びる第１の内腔２０の縦方向の距離は、縦方向の第２の端１８から第１の内腔２０までの縦方向の距離より大きくない。ほぼ０．５テスラの磁石１０の場合、縦方向の第１の端１６から伸びる第１の内腔２０の縦方向の距離は、縦方向の第２の端１８から第１の内腔２０までの縦方向の距離より小さいことが好ましい。
【０００９】
磁石１０はまた、縦方向に間隔を置いて配置された複数の超伝導コイル２４ａ乃至２４ｆを含む。超伝導コイル２４ａ乃至２４ｆは、軸１４とほぼ同軸にそろえられて、真空エンクロージャ１２の中に真空エンクロージャ１２から隔てて配置されている。第１のコイル２４ａおよび第２のコイル２４ｂを含む超伝導コイル２４ａ乃至２４ｆは各々、ほぼ同じ方向に電流を通す（電流方向の僅かな縦方向の成分を無視すると、これは軸１４を中心として円周方向に時計周りまたは反時計周りの方向である）。第１のコイル２４ａは第１の内腔２０をほぼ円周方向に取り囲み、第２のコイル２４ｂは第２の内腔２２をほぼ円周方向に取り囲む。第２のコイル２４ｂは半径方向に最も内側の部分２６を持つ。軸１４から第２のコイル２４ｂの半径方向に最も内側の部分２６までの半径方向距離は、第１の内腔２０の半径より小さい。
【００１０】
典型的には、第１のコイル２４ａは縦方向の第２の端１８よりも縦方向の第１の端１６により近く配置され、第２のコイル２４ｂは縦方向の第１の端１６よりも縦方向の第２の端１８により近く配置される。第１のコイル２４ａは縦方向の第１の端１６にほぼ隣接して配置され、第２のコイル２４ｂは縦方向の第２の端１８にほぼ隣接して配置されることが好ましい。好適実施例では、第１のコイル２４ａおよび第２のコイル２４ｂの各々の縦方向の長さおよび半径方向の長さは、第１のコイル２４ａの縦方向の長さが第１のコイル２４ａの半径方向の長さより大きく、第２のコイル２４ｂの縦方向の長さが第２のコイル２４ｂの半径方向の長さより大きくなるようにされる。より好ましい実施例では、第２のコイル２４ｂは半径方向に最も外側の部分３０を持ち、軸１４から第２のコイル２４ｂの半径方向に最も外側の部分３０までの半径方向距離は第１の内腔２０の半径より小さい。
【００１１】
磁石１０はまた、ほぼ第２の内腔２２の中に配置された勾配コイル３２を含む。磁石１０は更に、勾配コイル３２の半径方向内側でほぼ第２の内腔２２の中に配置された無線周波コイル３６を付加的に含むことが好ましい。ほぼ０．５テスラの磁石１０の場合、勾配コイル３２も無線周波コイル３６も第１の内腔２０の中まで伸びない。図１では、勾配コイル３２は真空エンクロージャ１２に接触するものとして概略図示されており、無線周波コイル３６は勾配コイル３２に接触するものとして概略図示されている。しかし熟練した当業者には知られているように、ＭＲＩ磁石は通常、受動シム、勾配遮蔽体、および真空エンクロージャ１２と勾配コイル３２との間のギャップを含み、また更に、無線周波遮蔽体および勾配コイル３２と無線周波コイル３６との間のギャップも含む（このようなシム、遮蔽体、およびギャップは簡明にするため図示していない）。渦電流の無い磁石１０を得るために真空エンクロージャ１２上および真空エンクロージャの中に連続した金属経路が避けられた場合には、勾配遮蔽体を省略してもよい。
【００１２】
磁石１０は手足のような人体の種々の部位のイメージングに使用することができるが、磁石１０はとりわけ人間の脳の高磁界ＭＲＩイメージング用に設計されることが好ましい。したがって、縦方向の第１の端１６が患者の肩４０をおおうように配置されて、患者の頭４２が少なくとも部分的に第１の内腔２０を通過して第２の内腔２２の中に入れられ、かつ第２の内腔２２の直径が患者の肩４０の幅より小さくなるように、第１の内腔２０および第２の内腔２２の大きさを定めることが好ましい。「患者」という用語は、熟練した当業者には決められるように男と女について平均したサイズを有した平均サイズの成人患者を意味する。ほぼ０．５テスラの磁石１０の場合には、患者の頭４２は第１の内腔２０を通過する。当業者に知られている従来の磁界解析と共に、前に説明した本発明の原理を使用して、超伝導コイル２４ａ乃至２４ｆは、真空エンクロージャ１２の縦方向の第１の端１６が患者の肩４０をおおうように（すなわち患者の肩４０を取り囲んで、それより下に伸びるように）患者の頭４２を少なくとも部分的に第１の内腔２０を通過して第２の内腔２２の中に入れたときに患者の脳の領域の中に（点線で示された）磁気共鳴イメージング容積４４を発生するように設計することが好ましい。超伝導コイル２４ａ乃至２４ｆは、好ましくは、形状がほぼ球形で、その中心が第２の内腔２２の中でほぼ軸１４上にあり、かつ該中心が真空エンクロージャ１２の縦方向の第１の端１６と第２の端１８とから縦方向にほぼ等距離の所にあるような磁気共鳴イメージング容積４４を発生するように設計される。典型的には、０．５テスラの磁石の場合、球形のイメージング容積４４全体が第２の内腔２２の中に配置される。
【００１３】
当業者に知られている従来の磁界解析と共に、前に説明した本発明の原理を使用して、本発明者は、直径がほぼ１８ｃｍの球形のイメージング容積４４の中にピークピーク磁界不均一度の設計値が１０ｐｐｍより小さいほぼ０．５テスラの磁界を発生する上記のような磁石１０を設計した。第１の内腔２０は直径がほぼ５３ｃｍとなるように設計され、第２の内腔２２は直径がほぼ３５ｃｍとなるように設計され、無線周波コイル３６は内径がほぼ２５ｃｍとなるように設計された。真空エンクロージャ１２の縦方向の長さはほぼ６２ｃｍであり、球形のイメージング容積４４の中心は真空エンクロージャ１２の縦方向の第１の端１６からほぼ３２ｃｍのところに配置された。ここで、患者は真空エンクロージャ１２に接触しないことに留意されたい。
【００１４】
本発明の磁石の設計では、超伝導コイル２４ａ乃至２４ｆは、ほぼ１０ケルビンの温度に維持され且つほぼアンペア数が２１４アンペアの電流を通す、幅がほぼ０．１２インチで、厚さがほぼ０．０１インチの、長さ方向に連続した（一体のまたは接合された）Ｎｂ−Ｓｎ超伝導テープで構成された。第１のコイル２４ａは、真空エンクロージャ１２の縦方向の第１の端１６から縦方向にほぼ２ｃｍのところで、かつ軸１４から半径方向にほぼ２８ｃｍのところに配置され、縦方向の長さがほぼ１０ｃｍであり、半径方向の長さがほぼ１ｃｍであり、ほぼ４７０ｍの超伝導テープで構成される。第２のコイル２４ｂは、真空エンクロージャ１２の縦方向の第２の端１８から縦方向にほぼ２ｃｍのところで、かつ軸１４から半径方向にほぼ１９ｃｍのところに配置され、縦方向の長さがほぼ６ｃｍであり、半径方向の長さがほぼ１ｃｍであり、ほぼ３６０ｍの超伝導テープで構成される。第３のコイル２４ｃは、第２のコイル２４ｂから縦方向にほぼ８ｃｍのところで、かつ軸１４から半径方向にほぼ１９ｃｍのところに配置され、縦方向の長さがほぼ４ｃｍであり、半径方向の長さがほぼ０．５ｃｍであり、ほぼ１３４ｍの超伝導テープで構成される。第４のコイル２４ｄは、第３のコイル２４ｃから縦方向にほぼ４ｃｍのところで、かつ軸１４から半径方向にほぼ２０ｃｍのところに配置され、縦方向の長さがほぼ３ｃｍであり、半径方向の長さがほぼ０．５ｃｍであり、ほぼ９４ｍの超伝導テープで構成される。第５のコイル２４ｅは、第４のコイル２４ｄから縦方向にほぼ３ｃｍのところで、かつ軸１４から半径方向にほぼ２０ｃｍのところに配置され、縦方向の長さがほぼ３ｃｍであり、半径方向の長さがほぼ０．５ｃｍであり、ほぼ８１ｍの超伝導テープで構成される。第６のコイル２４ｆは、第５のコイル２４ｅから縦方向にほぼ４ｃｍで第１のコイル２４ａから縦方向にほぼ１０ｃｍのところに配置され、軸１４から半径方向にほぼ２０ｃｍのところに配置され、縦方向の長さがほぼ３ｃｍであり、半径方向の長さがほぼ０．５ｃｍであり、ほぼ７８ｍの超伝導テープで構成される。磁石１０は、超伝導コイル２４ａ乃至２４ｆを支持するコイル枠５４を含むことが好ましい。
【００１５】
典型的には、磁石１０は、真空エンクロージャ１２の中に真空エンクロージャ１２から隔てて配置された熱遮蔽体５６を含み、超伝導コイル２４ａ乃至２４ｆが熱遮蔽体５６の中に熱遮蔽体５６から隔てて配置される。通常のスペーサ（簡明にするために図では省略されている）がコイル枠５４を熱遮蔽体５６から隔てて支持し、熱遮蔽体５６を真空エンクロージャ１２から隔てて支持する。第１段６０および第１段６０（温度がほぼ４０ケルビン）に比べて低温の第２段６２（温度がほぼ１０ケルビン）を有する低温冷却器のコールドヘッド５８、たとえばギフォードマクマホン（Ｇｉｆｆｏｒｄ−ＭｃＭａｈｏｎ）低温冷却器のコールドヘッドを磁石１０に設けることが好ましい。図１からわかるように、第２段６２は（コイル枠５４と熱接触することにより）超伝導コイル２４ａ乃至２４ｆと熱接触し、第１段６０は熱遮蔽体５６と熱接触している。第１の好ましい構成では、コイル枠５４は銅（または他の高熱伝導率の材料）を巻き付けたガラス強化エポキシ合成物で構成され、熱遮蔽体５６は銅（または他の高熱伝導率の材料）で構成され、そして真空エンクロージャ１２はステンレス鋼のような金属で構成される。第２の好ましい構成では、コイル枠５４および熱遮蔽体５６は各々、銅（または他の高熱伝導率の材料）のワイヤまたは条片持つガラス強化エポキシ合成物で構成され、そして真空エンクロージャ１２は、その中に（ステンレス鋼の箔のような）蒸気障壁構造が埋め込まれたガラス強化エポキシ合成物で構成される。第３の好ましい構成では、真空エンクロージャ１２は、磁石の漂遊磁界の部分的または完全な遮蔽を行うために鉄または他の磁気遮蔽材料で構成される。このような遮蔽により、磁石の漂遊磁界によっ適切な動作が損なわれるような電子装置が設置されている病室の中に磁石１０を据え付けることが容易になる。
【００１６】
再び図を参照して説明する。図２は、本発明の第２の実施例の磁気共鳴イメージング（ＭＲＩ）磁石１１０を示す。図２の磁石１１０は図１の磁石１０と同様の磁石である。本発明者は、直径がほぼ１８ｃｍの球形のイメージング容積１４４の中にピークピーク磁界不均一度の設計値が１ｐｐｍより小さいほぼ４．０テスラの磁界を発生する上記のような磁石１１０を設計した。第１の内腔１２０は直径がほぼ５７ｃｍとなるように設計され、第２の内腔１２２は直径がほぼ３８ｃｍとなるように設計され、無線周波コイル１３６は内径がほぼ２８ｃｍとなるように設計された。真空エンクロージャ１１２の縦方向の長さはほぼ８６ｃｍであり、球形のイメージング容積１４４の中心は真空エンクロージャ１１２の縦方向の第１の端１１６からほぼ４７ｃｍのところに配置された。超伝導コイル１２４ａ乃至１２４ｆはほぼ４ケルビンの温度で動作する自立形のＮｂ−Ｔｉ超伝導コイルで構成され、超伝導コイル１２４ａ乃至１２４ｆは磁力の封じ込めのためアルミニウム構造体１６６によって取り囲まれる。勾配コイル１３２、無線周波コイル１３６およびイメージング容積１４４は第１の内腔１２０の中まで伸びていることがわかる。
【００１７】
４．０テスラの磁石を冷却する好ましいモードは、磁石の外側に配置され磁石に密閉接続された液体ヘリウムのデュワー瓶、第１の端が液体ヘリウムの中に配置され且つ第２の端が超伝導コイルに熱接触している熱母線、および磁石を冷却する際に沸騰した液体ヘリウム凝縮するために液体ヘリウムより上方で液体ヘリウムに隣接した点まで下向きに伸びる低温段を持つ、デュワー瓶に取り付けられた低温冷却器のコールドヘッドを使用することであることに留意されたい（しかし、図２には示されていない）。
【００１８】
本発明の上記のオーバショルダ（ｏｖｅｒ−ｓｈｏｕｌｄｅｒ）形の脳イメージング用のＭＲＩ磁石１０（または１１０）のコンパクトな設計では、コイルの位置決めによって設計磁界不均一度の低い高磁界強度が達成される。低い磁界不均一度は、軸１４（または１１４）に垂直なイメージング容積４４（または１４４）の中心を通過する平面と第１のコイル２４ａ（または１２４ａ）および第２のコイル２４ｂ（または１２４ｂ）の各々との間に大きな立体角を必要とする。これは一部は、縦方向において真空エンクロージャ１２（または１１２）の縦方向の第１の端１６（または１１６）に隣接して第１のコイル２４ａ（または１２４ａ）を位置決めし、真空エンクロージャ１２（または１１２）の縦方向の第２の端１８（または１１８）に隣接して第２のコイル２４ｂ（または１２４ｂ）を位置決めし、第１のコイル２４ａ（または１２４ａ）が患者の肩４０（または１４０）を取り囲んで患者の肩４０（または１４０）より下に伸びるようにすることにより、達成される。このような設計手法により、より良いＭＲＩイメージングのための高磁界強度を有するＭＲＩ磁石１０（または１１０）が得られる。真空エンクロージャ１２（または１１２）の縦方向の第１の端１６（または１１６）が患者の肩４０（または１４０）をおおうようにＭＲＩ磁石１０（または１１０）に近づけられた医用検査台（図示しない）上に患者を仰向けに寝かせることが好ましい。
【００１９】
本発明の２つの好適実施例についての上記の記述は、例示のためのものであって、すべてを網羅したものでは無く、また開示された細部に本発明を限定するものでもない。上記の教示を参考にして多数の変形および変更を行えることは明らかである。たとえば、本発明の磁石１０（または１１０）の超伝導コイル２４ａ乃至２４ｆ（または１２４ａ乃至１２４ｆ）は低温冷却器により冷却されるものに限定されず、液体ヘリウム（または他の液体冷却剤）により冷却されるものであってもよい。本発明の範囲は、特許請求の範囲の記載により規定される。
【図面の簡単な説明】
【図１】簡明にするために陰影線を省略して示す、本発明のＭＲＩ磁石の第１の実施例の概略断面図である。
【図２】簡明にするために陰影線と磁石の冷却部を省略して示す、第１の実施例より高磁界の、本発明のＭＲＩ磁石の第２の実施例の概略断面図である。
【符号の説明】
１０    磁気共鳴イメージング（ＭＲＩ）磁石
１２    真空エンクロージャ
１４    真空エンクロージャの軸
１６    真空エンクロージャの縦方向の第１の端
１８    真空エンクロージャの縦方向の第２の端
２０    真空エンクロージャの第１の内腔
２２    真空エンクロージャの第２の内腔
２４ａ−２４ｆ    超伝導コイル
２６    第２のコイルの半径方向に最も内側の部分
３０    第２のコイルの半径方向に最も外側の部分
３２    勾配コイル
３６    無線周波コイル
４０    患者の肩
４２    患者の頭
４４    イメージング容積
５６    熱遮蔽体
５８    コールドヘッド
６０    コールドヘッドの第１段
６２    コールドヘッドの第２段
１１０    磁気共鳴イメージング（ＭＲＩ）磁石
１１２    真空エンクロージャ
１１４    真空エンクロージャの軸
１１６    真空エンクロージャの縦方向の第１の端
１１８    真空エンクロージャの縦方向の第２の端
１２０    真空エンクロージャの第１の内腔
１２２    真空エンクロージャの第２の内腔
１２４ａ−１２４ｆ    超伝導コイル
１３２    勾配コイル
１３６    無線周波コイル
１４０    患者の肩
１４４    イメージング容積
【図１】
0003706658.tif 000002
【図２】
0003706658.tif 000003